(57)【要約】      （修正有）【課題】インターホンにおける通話時において、話速変換、ノイズ除去、音声強調によって利用者が聞き取りやすい音声を再生する。【解決手段】集合住宅のエントランスに設置される集合玄関機と、居室に設置される複数の居室親機と、前記集合玄関機及び前記居室親機間を制御機を介して接続する集合住宅のインターホンシステムにおいて、前記居室親機は、前記集合玄関機から送出された音声を聞き直すための再送ボタンを備え、前記制御機は、前記集合玄関機から出力された音声を一時的に保存するメモリと、前記再送ボタンの操作を検出したら前記メモリに保存された前記集合玄関機からの音声を低速に話速変換して再送する送話手段とを備える。【選択図】図１
2011030120.tif 000002
【特許請求の範囲】
【請求項１】
集合住宅のエントランスに設置される集合玄関機（１１）と、居室に設置される複数の居室親機（１２）と、前記集合玄関機及び前記居室親機間を制御機（１３）を介して接続する集合住宅のインターホンシステムにおいて、
前記居室親機は、前記集合玄関機から送出された音声を聞き直すための再送ボタン（１２１）を備え、
前記制御機は、前記集合玄関機から出力された音声を一時的に保存するメモリ（１３２）と、前記再送ボタンの操作を検出したら前記メモリに保存された前記集合玄関機からの音声を低速に話速変換して再送する送話手段（１３１）とを備えたことを特徴とするインターホンシステム。
【請求項２】
ナースステーションに設置されるナースコール親機（２６）と、病室に設置される複数のナースコール子機（２２）と、前記ナースコール親機及びナースコール子機間を制御機（２３）を介して接続する病院用のインターホンシステムにおいて、
前記ナースコール子機は、前記ナースコール親機から出力された音声を聞き直すための再送ボタン（２２１）を備え、
前記制御機は、前記ナースコール親機から出力された音声を一時的に保存するメモリ（２３２）と、前記再送ボタンの操作を検出したら前記メモリに保存された前記ナースコール親機からの音声を低速に話速変換して再送する送話手段（２３１）とを備えたことを特徴とするインターホンシステム。
【請求項３】
戸建住宅のエントランスに設置される玄関子機（３１）と、居室に設置される居室親機（３２）とから構成される戸建住宅のインターホンシステムにおいて、
前記居室親機は、前記玄関子機から出力された音声を聞き直すための再送ボタン（３２１）と、前記玄関子機から出力された音声を一時的に保存するメモリ（３２３）と、前記再送ボタンの操作を検出したら前記メモリに保存された玄関子機からの音声を低速に話速変換して再送する送話手段（３２２）を備えたことを特徴とするインターホンシステム。
【請求項４】
集合住宅のエントランスに設置される集合玄関機（１１）と、居室に設置される複数の居室親機（１２）と、前記集合玄関機及び前記居室親機間を制御機（１３）を介して接続する集合住宅のインターホンシステムにおいて、
前記居室親機は、前記集合玄関機との通話中において、当該集合玄関機からの音声を低速で再生する低速ボタン（１２２）を備え、
前記制御機は、前記低速ボタンの操作を検出したら以後の前記集合玄関機からの音声を低速に話速変換して再送する送話手段（１３１）を備えたことを特徴とするインターホンシステム。
【請求項５】
ナースステーションに設置されるナースコール親機（２６）と、病室に設置される複数のナースコール子機（２２）と、前記ナースコール親機及びナースコール子機間を制御機（２３）を介して接続する病院用のインターホンシステムにおいて、
前記ナースコール子機は、前記ナースコール親機との通話中において、当該ナースコール親機からの音声を低速で再生する低速ボタン（２２２）を備え、  
前記制御機は、前記低速ボタンの操作を検出したら前記ナースコール親機からの音声を低速に話速変換して再送する送話手段（２３１）を備えたことを特徴とするインターホンシステム。
【請求項６】
戸建住宅のエントランスに設置される玄関子機（３１）と、居室に設置される居室親機（３２）とから構成される戸建住宅のインターホンシステムにおいて、
前記居室親機は、前記玄関子機との通話中において、当該玄関子機からの音声を低速で再生する低速ボタン（３２４）と、前記低速ボタンの操作を検出したら前記玄関子機からの音声を低速に話速変換して再送する送話手段（３２２）を備えたことを特徴とするインターホンシステム。
【請求項７】
前記送話手段は、前記再送ボタンが繰り返し操作されたら、操作の度に話速変換した速度を低下させることを特徴とする請求項４乃至請求項６記載のインターホンシステム。
【請求項８】
前記再送ボタン近傍に、ボタン操作１回につきどれだけ話速変換した速度を低下させるかを設定する設定部（１２３、２２３、３２５）を備えたことを特徴とする請求項４乃至請求項６記載のインターホンシステム。
【請求項９】
前記送話手段は、話速変換の回路としてＤＳＰ（４００ａ、４００ｂ、４００ｃ）を搭載したことを特徴とする請求項１乃至請求項６記載のインターホンシステム。
【請求項１０】
前記ＤＳＰは外部雑音を低減するノイズキャンセラ（４０１ａ、４０１ｂ、４０１ｃ）を備えたことを特徴とする請求項９記載のインターホンシステム。
【請求項１１】
前記ＤＳＰは音声のピークを強調して明瞭度を向上させる音声強調機能（４０３ａ、４０３ｂ、４０３ｃ）を備えたことを特徴とする請求項１０記載のインターホンシステム。
【請求項１２】
前記ノイズキャンセラのノイズ除去強度を可変するための設定手段（４０２ａ、４０２ｂ、４０２ｃ）を備えたことを特徴とする請求項１０記載のインターホンシステム。
【請求項１３】
前記設定手段は、ノイズ除去強度を容易に可変できないような構造を有することを特徴とする請求項１２記載のインターホンシステム。
【発明の詳細な説明】
【技術分野】
【０００１】
本発明は、ＤＳＰを搭載したインターホンシステムで、特に早口で話す人の音声を低速化して聞きやすくするインターホンシステムに関する。
【背景技術】
【０００２】
従来から、インターホンシステムとして、第１の先行技術に示すようなシステムが提案されている。本装置によれば、子機と親機間でドアホン通話が可能となっている。
【先行技術文献】
【特許文献】
【０００３】
【特許文献１】特開２０００−２４４６７０号
【発明の開示】
【発明が解決しようとする課題】
【０００４】
しかしながら、従来例のインターホンシステムにおいては、来訪者との通話する際において、録音を可能としたものが記載されている。これにより、来訪者との通話内容をあとで確認することができるようになる。
しかしながら、上記インターホンシステムでは、来訪者が早口であるため、通話中に来訪者が話した内容を確認しようとしても確認できないものであった、
本発明は、上述の難点を解消するためになされたもので、来訪者の話した内容を一時メモリに保存し、話速変換、ノイズ除去及び音声強調を施すことにより通話中に利用者が聞き取りやすい音声を再生することができるインターホンシステムを提供することを目的としている。
【課題を解決するための手段】
【０００５】
上述の目的を達成するため、本発明の第１の態様であるインターホンシステムは、集合住宅のエントランスに設置される集合玄関機と、居室に設置される複数の居室親機と、前記集合玄関機及び前記居室親機間を制御機を介して接続する集合住宅のインターホンシステムにおいて、前記居室親機は、前記集合玄関機から送出された音声を聞き直すための再送ボタンを備え、前記制御機は、前記集合玄関機から出力された音声を一時的に保存するメモリと、前記再送ボタンの操作を検出したら前記メモリに保存された前記集合玄関機からの音声を低速に話速変換して再送する送話手段とを備えたことを特徴とする。
【０００６】
また、本発明の第２の態様であるインターホンシステムは、ナースステーションに設置されるナースコール親機と、病室に設置される複数のナースコール子機と、前記ナースコール親機及びナースコール子機間を制御機を介して接続する病院用のインターホンシステムにおいて、前記ナースコール子機は、前記ナースコール親機から出力された音声を聞き直すための再送ボタンを備え、前記制御機は、前記ナースコール親機から出力された音声を一時的に保存するメモリと、前記再送ボタンの操作を検出したら前記メモリに保存された前記ナースコール親機からの音声を低速に話速変換して再送する送話手段とを備えたことを特徴とする。
【０００７】
また、本発明の第３の態様であるインターホンシステムは、戸建住宅のエントランスに設置される玄関子機と、居室に設置される居室親機とから構成される戸建住宅のインターホンシステムにおいて、前記居室親機は、前記玄関子機から出力された音声を聞き直すための再送ボタンと、前記玄関子機から出力された音声を一時的に保存するメモリと、前記再送ボタンの操作を検出したら前記メモリに保存された玄関子機からの音声を低速に話速変換して再送する送話手段を備えたことを特徴とする。
【０００８】
また、本発明の第４の態様であるインターホンシステムは、集合住宅のエントランスに設置される集合玄関機と、居室に設置される複数の居室親機と、前記集合玄関機及び前記居室親機間を制御機を介して接続する集合住宅のインターホンシステムにおいて、前記居室親機は、前記集合玄関機との通話中において、当該集合玄関機からの音声を低速で再生する低速ボタンを備え、前記制御機は、前記低速ボタンの操作を検出したら以後の前記集合玄関機からの音声を低速に話速変換して再送する送話手段を備えたことを特徴とする。
【０００９】
また、本発明の第５の態様であるインターホンシステムは、ナースステーションに設置されるナースコール親機と、病室に設置される複数のナースコール子機と、前記ナースコール親機及びナースコール子機間を制御機を介して接続する病院用のインターホンシステムにおいて、前記ナースコール子機は、前記ナースコール親機との通話中において、当該ナースコール親機からの音声を低速で再生する低速ボタンを備え、前記制御機は、前記低速ボタンの操作を検出したら前記ナースコール親機からの音声を低速に話速変換して再送する送話手段を備えたことを特徴とする。
【００１０】
また、本発明の第６の態様であるインターホンシステムは、戸建住宅のエントランスに設置される玄関子機と、居室に設置される居室親機とから構成される戸建住宅のインターホンシステムにおいて、前記居室親機は、前記玄関子機との通話中において、当該玄関子機からの音声を低速で再生する低速ボタンと、前記低速ボタンの操作を検出したら前記玄関子機からの音声を低速に話速変換して再送する送話手段を備えたことを特徴とする。
【００１１】
また、本発明の第７の態様であるインターホンシステムは、前記送話手段は、前記再送ボタンが繰り返し操作されたら、操作の度に話速変換した速度を低下させることを特徴とする。
また、本発明の第８の態様であるインターホンシステムは、前記再送ボタン近傍に、ボタン操作１回につきどれだけ話速変換した速度を低下させるかを設定する設定部を備えたことを特徴とする。
また、本発明の第９の態様であるインターホンシステムは、前記送話手段は、話速変換の回路としてＤＳＰを搭載したことを特徴とする。
また、本発明の第９の態様であるインターホンシステムは、前記ＤＳＰは外部雑音を低減するノイズキャンセラを備えたことを特徴とする。
また、本発明の第１０の態様であるインターホンシステムは、前記ＤＳＰは音声のピークを強調して明瞭度を向上させる音声強調機能を備えたことを特徴とする。
また、本発明の第１１の態様であるインターホンシステムは、前記ノイズキャンセラのノイズ除去強度を可変するための設定手段を備えたことを特徴とする。
また、本発明の第１２の態様であるインターホンシステムは、前記設定手段は、ノイズ除去強度を容易に可変できないような構造を有することを特徴とする。
【発明の効果】
【００１２】
請求項１のインターホンシステムによれば、集合住宅において音声再送時に話速変換を行なって低速で再生することにより、利用者が聞き取りやすい音声を再生することができる。
請求項２のインターホンシステムによれば、病院において音声再送時に話速変換を行なって低速で再生することにより、利用者が聞き取りやすい音声を再生することができる。
請求項３のインターホンシステムによれば、戸建住宅において音声再送時に話速変換を行なって低速で再生することにより、利用者が聞き取りやすい音声を再生することができる。
請求項４乃至請求項６のインターホンシステムによれば、一度の操作で以後の通話が全て低速で再生することにより、利用者が聞き取りやすい音声を再生することができる。
請求項７のインターホンシステムによれば、繰り返しの再送操作で話速が順次低下することにより、利用者が聞き取りやすい音声を再生することができる。
請求項８のインターホンシステムによれば、音声再送時の話速変換量を可変できることにより、利用者の利便性が向上する。
請求項９のインターホンシステムによれば、話速変換回路としてＤＳＰを搭載したことにより、話速変換以外の付加機能を充実させることができ、利用者の利便性が向上する。
請求項１０のインターホンシステムによれば、ＤＳＰがノイズキャンセラを備えたことにより、利用者が聞き取りやすい音声を再生することができる。
請求項１１のインターホンシステムによれば、ＤＳＰが音声強調機能を備えたことにより、利用者が聞き取りやすい音声を再生することができる。
請求項９のインターホンシステムによれば、ノイズキャンセラのノイズ除去強度を可変することにより、利用者の利便性が向上する。
請求項１３のインターホンシステムによれば、ノイズ除去強度を利用者に操作させず、サービスマン等の技術者のみが操作できるようにしたため、誤設定でトラブルの発生しやすいノイズキャンセラを的確に設定することができる。
【図面の簡単な説明】
【００１３】
【図１】本発明の第１の実施例におけるインターホンシステムの構成図である。
【図２】本発明の第２の実施例におけるインターホンシステムの構成図である。
【図３】本発明の第３の実施例におけるインターホンシステムの構成図である。
【発明を実施するための最良の形態】
【００１４】
以下、本発明のインターホンシステムを適用した最良の実施の形態例について、図面を参照して説明する。
図１は、本発明の第１の実施例によるインターホンシステムの構成を示すシステム構成図であり、エントランスに設置される集合玄関機１１、各居室に設置される複数の居室親機１２、集合玄関機１１、居室親機１２をそれぞれ制御する制御機１３、居室親機１２に接続される玄関子機３１から構成されている。また、集合玄関機１１及び居室親機１２は制御機１３を介して接続されている。
【００１５】
このように構成された集合住宅のインターホンシステムについて、以下、動作を説明する。
訪問者が集合玄関機１１を操作して呼出を行なう居室を選択し、呼出操作を行なうと、選択された居室親機１２で呼出音が鳴動し、居住者の操作により通話動作が開始する。
訪問者の音声は集合玄関機１１から制御機１３の送話手段１３１にて受信され、当該制御機１３のＤＳＰ４００ａのノイズキャンセラ４０１ａを介してノイズ除去が行なわれ、居室親機１２に送出されるとともに逐次制御機のメモリ１３２に保存される。メモリ１３２への保存は、訪問者の音声の１フレーズごとにおこなわれる。ここで「１フレーズ」とは、訪問者が話を始めて、無音状態が所定時間（例えば２秒間）継続した場合をいうものとする。なお、所定時間は適宜変更可能である。
【００１６】
居住者は、居室親機１２から放音される訪問者の音声が早すぎて聞き取れなかった場合には、再送ボタン１２１を押す。
再送ボタン１２１を操作したことが居室親機１２から制御機１３に送信されＤＳＰ４００にて検出される。すると、ＤＳＰ４００ａは、メモリ１３２から保存された訪問者の音声のうち最新のものを読み出し、話速を保存時の９０％として低速に変換して居室親機１２に送出する。また、集合玄関機１１からの音声の再生速度も再送ボタン１２１を操作した以降は９０％に変換して居室親機１２に送出するように設定する。
【００１７】
さらに、居住者はそれでも訪問者の音声が早すぎて聞き取れなかった場合には、再度再送ボタン１２１を押すことで、さらに話速を１０％低速して、つまり保存時の８０％として低速に変換して居室親機１２に送出する。また、集合玄関機１１からの音声の再生速度も再送ボタン１２１を操作した以降は８０％に変換して居室親機１２に送出するように設定する。通話が終了するまで、再送ボタンを操作すると都度１０％ずつ低速にすることができる。
【００１８】
このように、再送を繰り返すごとに話速を低下させ、さらに以後の音声も全て話速を低下するように設定するため、聞きやすさが大幅に向上する。
訪問者との会話が終了し、居住者の操作により通話が終了すると、制御機１３のＤＳＰ４００ａは、メモリ１３２から保存された訪問者の音声を破棄するとともに、以後集合玄関機１１からの音声の再生速度を変換せずに居室親機１２に送出するように設定を初期状態に戻す。
なお、本実施例では、話速を１０％ずつ低下させていたが、話速を効果的に変換するため、居室親機１２の操作部１２３で話速の変化量の設定をすることができる。
【００１９】
また、ノイズキャンセラ４０１ａは、ノイズ除去強度を可変することができる。しかし、ノイズ除去強度を上げすぎると訪問者の音声が全く聞こえなくなることから、居住者がノイズ除去強度を独自に可変すると故障と勘違いしてしまう可能性がある。この対策として、ノイズ除去強度を可変するための設定スイッチ４０２ａを居住者が操作できない場所に設置し、サービスマンが訪問して設定スイッチ４０２ａを調整するようにしている。
また、本実施例のＤＳＰ４００ａは音声のピークを強調して明瞭度を向上させる音声強調機能４０３ａを備えており、さらに聞きやすさを向上することができる。
なお、居住者は、集合玄関機１１と通話中において、居室親機１２に備えた低速ボタン１２２を操作することにより、この操作を検出した制御機１３の送話手段１３１は、集合玄関機１１からの音声を低速に話速変換して再生すると共に、以降は終話するまで、低速に話速変換した状態で再生を続けるよう制御をおこなう。
【００２０】
図２は、本発明の第２の実施例によるインターホンシステムの構成を示すシステム構成図であり、ナースステーションに設置されるナースコール親機２６、病室に設置されるナースコール子機２２、ナースコール親機２６、ナースコール子機２２をそれぞれ制御する制御機２３から構成されている。また、ナースコール親機２６、ナースコール子機２２は制御機２３を介して接続されている。
【００２１】
このように構成された病院用のインターホンシステムについて、以下、動作を説明する。
看護師がナースコール親機２６を操作して呼出を行なう病室のナースコール子機を選択し、呼出操作を行なうと、選択されたナースコール子機２２でプリトーンが鳴動し、通話動作が開始する。
看護師の音声はナースコール親機２６から制御機２３の送話手段２３１にて受信され、当該制御機２３のＤＳＰ４００ｂのノイズキャンセラ４０１ｂを介してノイズ除去が行なわれ、ナースコール子機２２に送出されるとともに逐次制御機のメモリ２３２に保存する。
【００２２】
メモリ２３２への保存は、看護師の音声の１フレーズごとにおこなわれる。ここで「１フレーズ」とは、看護師が話を始めて、無音状態が所定時間（例えば２秒間）継続した場合をいうものとする。なお、所定時間は適宜変更可能である。
患者は、ナースコール親機２６から放音される看護師の音声が早すぎて聞き取れなかった場合には、再送ボタン２２１を押す。
再送ボタン２２１を操作したことがナースコール親機２６から制御機２３に送信されＤＳＰ４００ｂにて検出される。すると、ＤＳＰ４００ｂは、メモリ２３２から保存された看護師の音声のうち最新のものを読み出し、話速を保存時の９０％として低速に変換してナースコール子機２２に送出する。また、ナースコール親機２２からの音声の再生速度も再送ボタン２２１を操作した以降は９０％に変換してナースコール子機２２に送出するように設定する。
【００２３】
さらに、患者はそれでも看護師の音声が早すぎて聞き取れなかった場合には、再度再送ボタン２２１を押すことで、さらに話速を１０％低速して、つまり保存時の８０％として低速に変換してナースコール子機２２に送出する。また、ナースコール親機２６からの音声の再生速度も再送ボタン２２１を操作した以降は８０％に変換してナースコール子機２２に送出するように設定する。通話が終了するまで、再送ボタン２２１を操作すると都度１０％ずつ低速にすることができる。
【００２４】
このように、再送を繰り返すごとに話速を低下させ、さらに以後の音声も全て話速を低下するように設定するため、聞きやすさが大幅に向上する。
看護師との会話が終了し、看護師の操作により通話が終了すると、制御機２３のＤＳＰ４００ｂは、メモリ２３２から保存された看護師の音声を破棄するとともに、以後ナースコール親機２６からの音声の再生速度を変換せずにナースコール子機２２に送出するように設定を初期状態に戻す。
なお、本実施例では、話速を１０％ずつ低下させていたが、話速を効果的に変換するため、ナースコール子機２２の操作部２２３で話速の変化量の設定をすることができる。
【００２５】
また、ノイズキャンセラ４０１ｂは、ノイズ除去強度を可変することができる。しかし、ノイズ除去強度を上げすぎると看護師の音声が全く聞こえなくなることから、看護師がノイズ除去強度を独自に可変すると故障と勘違いしてしまう可能性がある。この対策として、ノイズ除去強度を可変するための設定スイッチ４０２ｂを看護師が操作できない場所に設置し、サービスマンが訪問して設定スイッチ４０２ｂを調整するようにしている。
また、本実施例のＤＳＰ４００ｂは音声のピークを強調して明瞭度を向上させる音声強調機能４０３ｂを備えており、さらに聞きやすさを向上することができる。
なお、患者は、ナースコール親機２６と通話中において、ナースコール子機２２に備えた低速ボタン２２２を操作することにより、この操作を検出した制御機２３の送話手段２３１は、ナースコール親機２６からの音声を低速に話速変換して再生すると共に、以降は終話するまで、低速に話速変換した状態で再生を続けるよう制御をおこなう。
【００２６】
図３は、本発明の第３の実施例によるインターホンシステムの構成を示すシステム構成図であり、玄関のエントランスに設置される玄関子機３１、居室内に設置される居室親機３２を備えている。
このように構成された戸建のインターホンシステムについて、以下、動作を説明する。
【００２７】
訪問者が玄関子機３１を操作して呼出操作を行なうと、居室親機３２で呼出音が鳴動し、居住者の操作により通話動作が開始される。
訪問者の音声は玄関子機３１から居室親機３２に送付され、当該居室親機のＤＳＰ４００ｃのノイズキャンセラ４０１ｃを介してノイズ除去が行なわれるとともに逐次居室親機３２のメモリ３２３に保存する。
メモリ３２２への保存は、訪問者の音声の１フレーズごとにおこなわれる。ここで「１フレーズ」とは、訪問者が話を始めて、無音状態が所定時間（例えば２秒間）継続した場合をいうものとする。なお、所定時間は適宜変更可能である。
【００２８】
居住者は、玄関子機３１から放音される訪問者の音声が早すぎて聞き取れなかった場合には、再送ボタン３２１を押す。
再送ボタン３２１を操作したことが居室親機３２における送話手段３２２のＤＳＰ４００ｃにて検出される。すると、ＤＳＰ４００ｃは、メモリ３２３から保存された訪問者の音声のうち最新のものを読み出し、話速を保存時の９０％として低速に変換して居室親機３２のスピーカに送出する。また、玄関子機１からの音声の再生速度も再送ボタン３２１を操作した移行は９０％に変換して居室親機３２のスピーカに送出するように設定する。
【００２９】
さらに、居住者はそれでも訪問者の音声が早すぎて聞き取れなかった場合には、再度再送ボタン３２１を押すことで、さらに話速を１０％低速して、つまり保存時の８０％として低速に変換して居室親機３２に送出する。また、玄関子機３１からの音声の再生速度も再送ボタン３２１を操作した以降は８０％に変換して居室親機３２に送出するように設定する。通話が終了するまで、再送ボタン３２１を操作すると都度１０％ずつ低速にすることができる。
このように、再送を繰り返すごとに話速を低下させ、さらに以後の音声も全て話速を低下するように設定するため、聞きやすさが大幅に向上する。
【００３０】
訪問者との会話が終了し、居住者の操作により通話が終了すると、ＤＳＰ４００ｃは、メモリ３２３から保存された訪問者の音声を破棄するとともに、以後玄関子機３１からの音声の再生速度を変換せずに居室親機３２のスピーカに送出するように設定を初期状態に戻す。
なお、本実施例では、話速を１０％ずつ低下させていたが、話速を効果的に変換するため、居室親機３２の操作部３２４で話速の変化量の設定をすることができる。
【００３１】
また、ノイズキャンセラ４０１ｃは、ノイズ除去強度を可変することができる。しかし、ノイズ除去強度を上げすぎると訪問者の音声が全く聞こえなくなることから、居住者がノイズ除去強度を独自に可変すると故障と勘違いしてしまう可能性がある。この対策として、ノイズ除去強度を可変するための設定スイッチ４０２ｃを居住者が操作できない場所に設置し、サービスマンが訪問して設定スイッチ４０２ｃを調整するようにしている。
また、本実施例のＤＳＰ４００ｃは音声のピークを強調して明瞭度を向上させる音声強調機能４０３ｃを備えており、さらに聞きやすさを向上することができる。
なお、居住者は、集合玄関機１１と通話中において、居室親機１２に備えた低速ボタン１２２を操作することにより、この操作を検出した制御機１３の送話手段１３１は、集合玄関機１１からの音声を低速に話速変換して再生すると共に、以降は終話するまで、低速に話速変換した状態で再生を続けるよう制御をおこなう。
なお、居住者は、玄関子機３１と通話中において、居室親機３２に備えた低速ボタン３２４を操作することにより、この操作を検出した送話手段３２２は、玄関子機３１からの音声を低速に話速変換して再生すると共に、以降は終話するまで、低速に話速変換した状態で再生を続けるよう制御をおこなう。
【符号の説明】
【００３２】
１１・・・           集合玄関機
１２・・・           居室親機
１２１・・・       再送ボタン
１３・・・           制御機
１３２・・・       メモリ
１３１・・・       送話手段
【図１】
2011030120.tif 000003
【図２】
2011030120.tif 000004
【図３】
2011030120.tif 000005